(57)【要約】      （修正有）【課題】出入りが容易で、且つ取付けやすいゲートを提供する。【解決手段】ゲート１０であって、出入口の両側の壁面にそれぞれ固定される二つの門柱１００と、互いに回動可能に連結されると共に、間に０°〜１８０°の回動角度を有する第１扉２１０と第２扉２２０とを含む、出入口を遮断する枠体２００と、それぞれの一端が枠体２００の両端に取り付けられ、それぞれの他端が取り外し可能にかつ回動可能に門柱１００に連結される二つの連結部３００と、連結部３００を、設定場所に制限するために、門柱１００における、枠体２００に接近する側に設置されると共に、該門柱１００内へ弾性収縮可能な制限機構とを備える。【選択図】図１
0003223712.tif 000002
【実用新案登録請求の範囲】
【請求項１】
出入口の両側の壁面にそれぞれ固定される二つの門柱と、
互いに回動可能に連結されると共に、間に０°〜１８０°の回動角度を有する第１扉と第２扉とを含む、出入口を遮断する枠体と、
それぞれの一端が前記枠体の両端に取り付けられ、それぞれの他端が取り外し可能にかつ回動可能に前記門柱に連結される二つの連結部と、
前記連結部を、設定場所に制限するために、前記門柱における、枠体に接近する側に設置されると共に、該門柱内へ弾性収縮可能な制限機構とを備えることを特徴とするゲート。
【請求項２】
前記門柱における、枠体に接近する側に支持座が設置され、該支持座上に取付突起が設けられ、前記連結部に第１取付孔が設けられ、該第１取付孔に該取付突起が挿入されることを特徴とする請求項１に記載のゲート。
【請求項３】
前記門柱に、前記制限機構を収容する収容空間が設けられ、該制限機構は、前記支持座から離間して設置されるブロックと、一端が該収容空間に接続され、他端が該ブロックに接続される弾性部品を含み、該ブロックは、該弾性部品の付勢力によって、該連結部を該ブロックと支持座との間に制限することを特徴とする請求項２に記載のゲート。
【請求項４】
前記収容空間の底面にレールが設けられ、前記ブロックにスライド部が設けられ、該レールとスライド部が滑動可能に連結されることを特徴とする請求項３に記載のゲート。
【請求項５】
前記ブロックに案内凹部が設けられ、前記収容空間に案内凸部が設けられ、該案内凸部の外形が該案内凹部の形状と対応しており、前記弾性部品が、該案内凸部と案内凹部を連結することを特徴とする請求項３に記載のゲート。
【請求項６】
前記案内凸部に第２取付孔が設けられ、該第２取付孔に第１ガイド突起が設置され、前記案内凹部に第２ガイド突起が設置され、前記弾性部品の一端が該第１ガイド突起に外嵌され、他端が該第２ガイド突起に外嵌されることを特徴とする請求項５に記載のゲート。
【請求項７】
前記第１扉が、第１横バーと、第２横バーと、両端がそれぞれ第１横バーと第２横バーに接続される複数の第１柵バーとを含み、前記第２扉が、第３横バーと、第４横バーと、両端がそれぞれ第３横バーと第４横バーに接続される複数の第２柵バーとを含み、前記二つの連結部がそれぞれ、第１横バーと第３横バーの一端に接続されることを特徴とする請求項１に記載のゲート。
【請求項８】
前記門柱が、互いに回動可能且つ取り外し可能に連結される、第１補助連結具と第２補助連結具を含み、該第１補助連結具が、前記門柱から離間するように同じ鉛直方向に沿って設置され、該第２補助連結具が、前記枠体に設置されると共に、前記連結部から離間するように同じ鉛直方向に沿って設置されることを特徴とする請求項１に記載のゲート。
【請求項９】
前記第１補助連結具は二つ有し、それぞれが両側の壁面に固定される前記両門柱から離間して設置され、前記第２補助連結具は二つ有し、それぞれが前記第１扉と第２扉に設置され、前記両第１補助連結具がそれぞれ、対応する第２補助連結具に回動可能且つ取り外し可能に連結されることを特徴とする請求項８に記載のゲート。
【請求項１０】
前記枠体における、連結部から離れる一側に更に戸車が設けられることを特徴とする請求項１に記載のゲート。
【考案の詳細な説明】
【技術分野】
【０００１】
本考案は、安全扉の技術領域に属するものであり、特にゲートに関するものである。
【背景技術】
【０００２】
ゲートは、人の出入りを管理するために、建物内の特定区域の出入口に設置して使用するものであり、一般的なゲートにおいては、柵がロック装置を介して門柱に連結されており、出入りの際には、まずロック装置を開錠してからゲートを通過し、その後、ロック装置を施錠してゲートを閉じる。また、このロック装置は主に、結着手段あるいは締着手段によりなるものであり、これらの手段によれば、出入りする度に開いたり、閉じたりする手間がかかるので、使用上非常に不便であった。
【考案の概要】
【考案が解決しようとする課題】
【０００３】
本考案は、前記の従来技術の欠点に鑑みてなされたものであり、出入りが容易で、且つ取付けやすいゲートを提供することを目的とするものである。
【課題を解決するための手段】
【０００４】
上記の目的を達成するために、本考案はゲートであって、出入口の両側の壁面にそれぞれ固定される二つの門柱と、互いに回動可能に連結されると共に、間に０°〜１８０°の回動角度を有する第１扉と第２扉とを含む、出入口を遮断する枠体と、それぞれの一端が前記枠体の両端に取り付けられ、それぞれの他端が取り外し可能にかつ回動可能に前記門柱に連結される二つの連結部と、前記連結部を、設定場所に制限するために、前記門柱における、枠体に接近する側に設置されると共に、該門柱内へ弾性収縮可能な制限機構とを備えることを特徴とする。
【０００５】
前記門柱における、枠体に接近する側に支持座が設置され、該支持座上に取付突起が設けられ、前記連結部に第１取付孔が設けられ、該第１取付孔に該取付突起が挿入されることを特徴とする。
【０００６】
前記門柱に、前記制限機構を収容する収容空間が設けられ、該制限機構は、前記支持座から離間して設置されるブロックと、一端が該収容空間に接続され、他端が該ブロックに接続される弾性部品を含み、該ブロックは、該弾性部品の付勢力によって、該連結部を該ブロックと支持座との間に制限することを特徴とする。
【０００７】
前記収容空間の底面にレールが設けられ、前記ブロックにスライド部が設けられ、該レールとスライド部が滑動可能に連結されることを特徴とする。
【０００８】
前記ブロックに案内凹部が設けられ、前記収容空間に案内凸部が設けられ、該案内凸部の外形が該案内凹部の形状と対応しており、前記弾性部品が、該案内凸部と案内凹部を連結することを特徴とする。
【０００９】
前記案内凸部に第２取付孔が設けられ、該第２取付孔に第１ガイド突起が設置され、前記案内凹部に第２ガイド突起が設置され、前記弾性部品の一端が、該第１ガイド突起に外嵌され、他端が該第２ガイド突起に外嵌されることを特徴とする。
【００１０】
前記第１扉が、第１横バーと、第２横バーと、両端がそれぞれ第１横バーと第２横バーに接続される複数の第１柵バーとを含み、前記第２扉が、第３横バーと、第４横バーと、両端がそれぞれ第３横バーと第４横バーに接続される複数の第２柵バーとを含み、前記二つの連結部がそれぞれ、第１横バーと第３横バーの一端に接続されることを特徴とする。
【００１１】
前記門柱が、互いに回動可能且つ取り外し可能に連結される、第１補助連結具と第２補助連結具を含み、該第１補助連結具が、前記門柱から離間するように同じ鉛直方向に沿って設置され、該第２補助連結具が、前記枠体に設置されると共に、前記連結部から離間するように同じ鉛直方向に沿って設置されることを特徴とする。
【００１２】
前記第１補助連結具は二つ有し、それぞれが両側の壁面に固定される前記両門柱から離間して設置され、前記第２補助連結具は二つ有し、それぞれが前記第１扉と第２扉に設置され、前記両第１補助連結具がそれぞれ、対応する第２補助連結具に回動可能且つ取り外し可能に連結されることを特徴とする。
【００１３】
前記枠体における、連結部から離れる一側に更に戸車が設けられることを特徴とする。
【考案の効果】
【００１４】
本考案に係るゲートにおいては、連結部と門柱を回動可能且つ取り外し可能に連結することによって、枠体を門柱に取り付け、該連結部を門柱に取り付けた後、制限機構が門柱内から弾性的に突出して、連結部を決めた位置に制限すると共に、連結部が門柱から脱落するのを防ぐ。この設計によれば、枠体が門柱上に位置決めされて、出入口が閉鎖状態となる。また、本考案に係るゲートは、回転可能に連結される第１扉と第２扉により、幅が異なる両側壁または遮断対象の間に適用することができ、それに加え、ゲートが開放状態のときは、第１扉と第２扉が折り畳まれているので、空間を節約することもできる。尚、ゲートが閉鎖状態のときに出入りする必要がある場合は、まず、両側に設置される制限機構のいずれか一つを門柱の内側に押し込んで、片側の連結部を門柱から取り外し、枠体を片側の門柱から分離し、枠体を他方側の門柱に対して回動させて、ゲートを開放状態とし、入出の目的を達成する。また、枠体を取り外す時は、両側に設置される制限機構を門柱の内側に押し込んで、両連結部をそれぞれの門柱から取り外し、枠体を両側の門柱から分離させれば、簡単に取り外すことができる。このように、上述した技術特徴によれば、出入りが容易で、且つ取付けやすいゲートを提供することができる。
【図面の簡単な説明】
【００１５】
【図１】本考案に係るゲートを示す正面図である。
【図２】図１における、丸枠Ａに囲まれた部分を示す部分拡大図である。
【図３】本考案に係るゲートの回動機構を示す分解図である。
【図４】本考案に係るゲートの門柱を示す分解図である。
【図５】本考案に係るゲートの連結部を示す斜視図である。
【図６】本考案に係るゲートの制限機構を示す斜視図である。
【図７】本考案に係るゲートの第１補助連結具及び第２補助連結具を示す斜視図である。
【考案を実施するための形態】
【００１６】
本考案の技術特徴及び実用効果を詳しく理解し、明細書の内容に基づいて実現できるように、図面に示す好適な実施形態により以下のように詳細に説明する。しかしながら、本考案は、多くの異なる形態により実施できる。つまり、本明細書に記載の実施形態に限定されず、これらの実施形態は単に、本考案をより十分に理解するために用いたものにすぎない。
【００１７】
その他の留意事項を、以下にて説明する。構成物Ａが構成物Ｂに「固定される」と記載されている場合、構成物Ａが直接に構成物Ｂに固定されてもよく、または構成物Ｃを介して構成物Ｂに固定されてもよい。また、構成物Ａが別の要素に「連結される」と記載されている場合、構成物Ａが直接に構成物Ｂに連結されてもよく、または構成物Ｃを介して構成物Ｂに連結されてもよい。尚、本明細書で使用される「垂直」、「水平」、「左」、「右」などの用語は、単に例示を目的としたものであり、唯一の実施形態として限定するものではない。
【００１８】
本明細書で使用されるすべての技術用語および科学用語は、本考案に属する当業者によって一般的に理解されているものと同じ意味を有し、本考案の説明で使用される用語は、実施形態をより明確に説明することを目的としており、本考案を限定するものではなく、本明細書で使用される「および／または」との用語は、列挙された関連項目のうちの一つまたは複数の組合せを含む。
【００１９】
図１に示すように、本考案の好適な実施例において、ゲート１０は、門柱１００と、枠体２００と、連結部３００を備え、該枠体２００は、出入口を閉鎖するために用いられ、該門柱１００は二つ有し、該両門柱１００はそれぞれ、出入口の両側の壁面に固定され、該連結部３００は二つ有し、該両連結部３００のそれぞれの一端は、該枠体２００の両端に取り付けられ、それぞれの他端は、取り外し可能且つ回動可能に該門柱１００に連結される。図２に示すように、前記門柱１００における、枠体２００に接近する側に、制限機構４００が設置され、該制限機構４００は、該門柱１００内に弾性収縮可能であると共に、前記連結部３００を、所定の位置に制限するために用いられる。
【００２０】
前記ゲート１０において、前記連結部３００と門柱１００が連結されることによって、前記枠体２００が該門柱１００に固定される。具体的に述べると、該連結部３００が、該門柱１００に取り付けられた後、前記制限機構４００が、該門柱１００の内側から弾性的に突出して、該連結部３００を、所定の位置に制限することで、該連結部３００が該門柱１００から脱落するのを防ぐと共に、前記枠体２００を該門柱１００に位置決めすることにより、出入口を閉鎖する。もし閉鎖状態で出入りする時は、まず両側に設置される制限機構４００のいずれか一つを該門柱１００の内側に押し込んで、該連結部３００を門柱１００から取り外し、該枠体２００を片側の門柱１００から分離して、該枠体２００を他方側の門柱１００に対して回動させ、該ゲート１０を開放状態とすることにより、入出の目的を達成する。また、前記枠体２００を取り外す場合、両側に設置される制限機構４００を該門柱１００の内側に押し込んで、該両連結部３００をそれぞれの門柱１００から取り外し、該枠体２００を両側の門柱１００から分離させることで、取り外しの目的を達成する。上述の構成によって、本考案のゲート１０は、出入りが容易で、且つ取付けやすいものとなる。
【００２１】
本考案の好適な実施例において、前記枠体２００は、互いに回動可能に連結される第１扉２１０と第２扉２２０を備え、具体的に述べると、該第１扉２１０と第２扉２２０が連結される箇所に回動機構５００が設置され、該回動機構５００によって、該第１扉２１０と第２扉２２０を相対的に回動させることにより、任意の角度（０°〜１８０°）に折り畳み、これにより、幅が異なる両側壁あるいは遮断対象の間に適用することができ、さらに、前記ゲート１０が開放状態においては、該第１扉２１０と第２扉２２０を折り畳まれるので、空間を節約することができる。
【００２２】
図１及び図３に示すように、本考案の好適な実施例において、前記回動機構５００は、第１連結具５１０と第２連結具５２０を含み、該第１連結具５１０は、前記第１扉２１０における、第２扉２２０に隣接する一端に外嵌されると共に、第１締結具５１１を介して、該第１扉２１０上に固定され、該第２連結具５２０は、前記第２扉２２０における、第１扉２１０に隣接する一端に外嵌されると共に、第２締結具（図示せず）を介して、該第２扉２２０上に固定され、該第１連結具５１０と第２連結具５２０が回動自在に連結されることで、該第１扉２１０と第２扉２２０が回動可能となる。
【００２３】
具体的に述べると、前記第１扉２１０は、第１横バー２１１と、第２横バー２１３と、両端がそれぞれ第１横バー２１１及び第２横バー２１３に接続される、複数の第1柵バー２１５とを含み、前記第２扉２２０は、第３横バー２２１と、第４横バー２２３と、両端がそれぞれ第３横バー２２１及び第４横バー２２３に接続される、複数の第２柵バー２２５とを含む。
【００２４】
さらに、図４に示すように、本考案の好適な実施例においては、前記門柱１００における、枠体２００に接近する側に支持座１１０が設置され、該支持座１１０上に取付突起１１１が設けられる。さらに図５に示すように、前記連結部３００に第１取付孔３１０が設けられ、該第１取付孔３１０が、前記取付突起１１１に外嵌されることで、該連結部３００を、該門柱１００から取り外しやすくする。また、前記連結部３００が、該取付突起１１１に回動自在に連結されていることから、出入りする際に、片側の連結部３００を該取付突起１１１から引き抜いて、他側の門柱１００を軸として該連結部３００を目いっぱい回動させることで、出入口が完全開放状態となるので、支障なく容易に通過することができる。
【００２５】
尚、前記門柱１００に、前記制限機構４００を収容する収容空間１２０が設けられ、該制限機構４００は、ブロック４１０と弾性部品４２０を含み、該弾性部品４２０の一端が該収容空間１２０に接続されると共に、他端が該ブロック４１０に接続され、該ブロック４１０が、前記支持座１１０から離間して設置されることが好ましく、さらに図２に示すように、該ブロック４１０は、該弾性部品４２０の付勢力によって、前記連結部３００を該ブロック４１０と支持座１１０との間に制限することで、該連結部３００の取付突起１１１からの脱落を防いでいる。
【００２６】
前記ゲート１０を開ける時は、まず、前記ブロック４１０を前記連結部３００から離れる方向に向かって移動させて、前記収容空間１２０内に退かせ、該連結部３００を該取付突起１１１から引き抜いて、前記第１扉２１０又は第２扉２２０のいずれか一つをそれぞれの対応する門柱１００から取り外して、回動させることにより該ゲート１０を開放する。
【００２７】
一方、前記ゲート１０を使用しない場合は、該ゲート１０の開放方法と同様に、両側のブロック４１０を同時に又は順次に操作して、前記第１扉２１０と第２扉２２０を、それぞれの対応する門柱１００から分離させて、前記枠体２００を取り外せばよい。
【００２８】
前記枠体２００を前記門柱１００に取り付ける時は、まず、前記ブロック４１０を前記連結部３００から離れる方向に向かって押圧して、前記収容空間１２０内に退かせ、前記第１扉２１０及び第２扉２２０におけるそれぞれの連結部３００を、対応する取付突起１１１に外嵌させ、その後、該ブロック４１０を放し、該ブロック４１０を、前記弾性部品４２０の付勢力によって、該連結部３００に接近する方向に移動するように、前記収容空間１２０から弾性的に突出させて、該連結部３００を該ブロック４１０と前記支持座１１０との間に制限し、該連結部３００を設置するので、該第１扉２１０と第２扉２２０をそれぞれの門柱１００に設置することで、ゲート１０の取付けを達成できる。
【００２９】
図４及び図６に示すように、本考案の好適な実施例においては、前記収容空間１２０の底面にレール１２１が設けられ、前記制限機構４００にスライド部３２０が設けられ、該レール１２１とスライド部３２０が滑動可能に連結されることにより、前記ブロック４１０が、該収容空間１２０内に退く時に、偏りなくスムーズに案内されて、安定的に移動することができる。
【００３０】
さらに、前記ブロック４１０に案内凹部４１１が設けられ、前記収容空間１２０に案内凸部１２３が設けられ、該案内凸部１２３の外形が、該案内凹部４１１の形状に対応しており、前記弾性部品４２０により該案内凸部１２３と案内凹部４１１とが連結され、該案内凸部１２３と案内凹部４１１の設置により、前記ブロック４１０に対して該収容空間１２０内に移動する時に、より一層スムーズに案内されることで、偏りが発生したり、目標方向から離れたりするのを防ぐ。
【００３１】
本考案の好適な実施例においては、前記案内凸部１２３に第２取付孔１２５が設けられ、該第２取付孔１２５に第１ガイド突起１２７が設けられ、前記案内凹部４１１に第２ガイド突起４１３が設けられ、前記弾性部品４２０の一端が、該第１ガイド突起１２７に外嵌されると共に、他端が該第２ガイド突起４１３に外嵌され、この構成によれば、該弾性部品４２０が圧縮や伸長する際に案内されるので、作動不良による折れ曲がりの不具合現象を防止できる。
【００３２】
図１及び図７に示すように、本考案の好適な実施例においては、前記ゲート１０が、第１補助連結具６００と第２補助連結具７００をさらに含み、該第１補助連結具６００が、前記門柱１００から離間するように同じ鉛直方向に沿って設置され、該第２補助連結具７００が、前記枠体２００上において、前記連結部３００から離間するように同じ鉛直方向に沿って設置され、該第１補助連結具６００と第２補助連結具７００が、互いに回動可能にかつ取り外し可能に連結され、さらに、該第１補助連結具６００上に円筒部６１０が設けられ、該第２補助連結具７００に第３取付孔７１０が設けられ、該第３取付孔７１０が該円筒部６１０に外嵌される。前記第３取付孔７１０と円筒部６１０との連結によれば、前記連結部３００と門柱１００との連結の安定性をより一層高めることができる。具体的に述べると、前記第１補助連結具６００は二つ有し、それぞれが両側の壁面に固定される両門柱１００から離間して設置されると共に、該第２補助連結具７００は二つ有し、それぞれが前記第１柵バー２１５と第２柵バー２２５に設置され、これにより、前記第１扉２１０及び第２扉２２０に対する連結安定性をより一層高めることができる。尚、前記第１補助連結具６００及び第２補助連結具７００の数はこれに限定されるものではない。
【００３３】
さらに、図１に示すように、本考案の好適な実施例においては、前記門柱１００が、戸車８００をさらに含み、該戸車８００が、前記枠体２００上における、前記連結部３００から離れる一側に設置され、該戸車８００の設置により、前記枠体２００の開け閉めの際の抵抗を減らすことができる。具体的に述べると、前記戸車８００が、前記第２横バー２１３における、門柱１００に接近する一側及び、前記第４横バー２２３における、門柱１００に接近する一側及び、該第２横バー２１３と第４横バー２２３との接続箇所に全て設置されている。
【００３４】
上記実施形態の技術特徴は任意に組み合わせてもよい。尚、簡潔に説明するために、上述の実施形態における様々な技術特徴に対して、全ての組み合わせを記載することはできない。故に、上述の技術特徴の任意の組み合わせにおいて矛盾が存在しない限り、それは本明細書の範囲とみなすべきである。
【００３５】
以上の説明は、本考案の好ましい実施形態に過ぎず、本考案に対して何ら限定を行うものではない。すべての当業者が、本考案の技術構想を逸脱しない範囲において、本考案の開示する技術内容を用いて部分的な変更及び修飾を行った等価の実施形態であって、且つ本考案の技術構想の内容を逸脱しないものは、依然としてすべて本考案の技術構想の範囲内にある。
【符号の説明】
【００３６】
１０ゲート
１００門柱
１１０支持座
１１１取付突起
１２０収容空間
１２１レール
１２３案内凸部
１２５第２取付孔
１２７第１ガイド突起
２００枠体
２１０第１扉
２１１第１横バー
２１３第２横バー
２１５第１柵バー
２２０第２扉
２２１第３横バー
２２３第４横バー
２２５第２柵バー
３００連結部
３１０第１取付孔
３２０スライド部
４００制限機構
４１０ブロック
４１１案内凹部
４１３第２ガイド突起
４２０弾性部品
５００回動機構
５１０第１連結具
５１１締結具
５２０第２連結具
６００第１補助連結具
６１０円筒部
７００第２補助連結具
７１０第３取付孔
８００戸車
【図１】
0003223712.tif 000003
【図２】
0003223712.tif 000004
【図３】
0003223712.tif 000005
【図４】
0003223712.tif 000006
【図５】
0003223712.tif 000007
【図６】
0003223712.tif 000008
【図７】
0003223712.tif 000009